(57)【要約】      （修正有）【課題】無線装置において、ノイズを低減させる送信器を提供する。【解決手段】無線装置１１０の送信器２１０において、増幅器２６０から送信されたＲＦ信号を、結合器２６１からダウンコンバータ２７０に出力し、ダウンコンバータ２７０にてベースバンドへダウンコンバートし、ダウンコンバートされた信号をフィルタ２８０で、フィルターし、フィルターされダウンコンバートされた信号及び送信ベースバンド信号に基づいて、コンポジット信号を生成する。【選択図】図２
2014078990.tif 000002
【特許請求の範囲】
【請求項１】
送信器のＲＦ信号をベースバンドへダウンコンバートすることと、
前記ダウンコンバートされた信号をフィルターすることと、
前記フィルターされダウンコンバートされた信号及び送信ベースバンド信号に基づいてコンポジット信号を生成することと、
を具備する方法。
【請求項２】
前記コンポジット信号を生成することが、前記送信ベースバンド信号から前記フィルターされた信号を取り除くことを具備する請求項１記載の方法。
【請求項３】
前記生成されたコンポジット信号をＲＦ信号にアップコンバートすることと、
前記アップコンバートされた信号を増幅することと、
をさらに具備する請求項１記載の方法。
【請求項４】
前記増幅されアップコンバートされた信号を送信することをさらに具備する請求項３記載の方法。
【請求項５】
前記ダウンコンバートされた信号をフィルターすることが、前記ダウンコンバートされた信号をハイパスフィルターすることを具備する請求項１記載の方法。
【請求項６】
前記ダウンコンバートされた信号をフィルターすることが、前記ダウンコンバートされた信号を最小二乗平均（LMS）フィルターすることを具備する請求項１記載の方法。
【請求項７】
前記フィルターされダウンコンバートされた信号が、送信信号に対応しているスペクトラム成分を低減する請求項１記載の方法。
【請求項８】
前記スペクトラム成分が、前記送信信号のノイズ、スパーズ、及び歪みの少なくとも１つを具備している請求項７記載の方法。
【請求項９】
前記ダウンコンバートすることが、送信局部発振器信号に基づいてダウンコンバートすることを具備している請求項１記載の方法。
【請求項１０】
前記アップコンバートすることが、前記送信局部発振器信号に基づいてアップコンバートすることを具備している請求項９記載の方法。
【請求項１１】
前記ダウンコンバートされたRF信号及び前記フィルターされダウンコンバートされた信号の少なくとも１つを第１のデジタル信号に変換すること、前記生成することが前記第１のデジタル信号及びデジタル送信ベースバンド信号に基づいてデジタルコンポジット信号を生成することをさらに具備する、と、
前記デジタルコンポジット信号をアナログコンポジット信号に変換することと、
をさらに具備する請求項１記載の方法。
【請求項１２】
送信器のRF信号をベースバンドに変換するダウンコンバータと、
前記ダウンコンバートされた信号をフィルターするフィルタと、
前記フィルターされダウンコンバートされた信号及び送信ベースバンド信号に基づきコンポジット信号を生成する信号結合器と、
を具備する送信器。
【請求項１３】
前記生成されたコンポジット信号をRF信号にアップコンバートするためのアップコンバータと、
前記アップコンバートされた信号を増幅する増幅器と、
をさらに具備する請求項１２記載の送信器。
【請求項１４】
前記増幅されアップコンバートされた信号を送信するアンテナをさらに具備する請求項１３記載の送信器。
【請求項１５】
前記信号結合器が前記送信ベースバンド信号から前記フィルターされた信号を減算する減算回路を具備している請求項１２記載の送信器。
【請求項１６】
前記フィルタがハイパスフィルタを具備している請求項１２記載の送信器。
【請求項１７】
送信局部発振器信号を前記ダウンコンバータ及び前記アップコンバータに提供する送信局部発振器信号経路をさらに具備する請求項１３記載の送信器。
【請求項１８】
前記ダウンコンバータ及び前記フィルタの少なくとも１つの出力に配置され、前記ダウンコンバートされたRF信号及び前記フィルターされダウンコンバートされた信号のうち少なくとも１つを第１のデジタル信号にデジタル化するためのアナログデジタルコンバータ（ADC）、前記信号結合器が前記第１のデジタル信号及びデジタル送信ベースバンド信号に基づいてデジタルコンポジット信号を生成するデジタル信号結合器をさらに具備している、と、
前記信号結合器の前記出力に配置され、前記デジタルコンポジット信号をアナログコンポジット信号に変換するデジタルアナログコンバータ（DAC）と、
をさらに具備する請求項１２記載の送信器。
【請求項１９】
送信器のRF信号をベースバンドにダウンコンバートするための手段と、
前記ダウンコンバートされた信号をフィルターするための手段と、
前記フィルターされダウンコンバートされた信号及び送信ベースバンド信号に基づいてコンポジット信号を生成するための手段と、
を具備する送信器。
【請求項２０】
前記生成されたコンポジット信号をRF信号にアップコンバートするための手段と、
前記アップコンバートされた信号を増幅するための手段と、
をさらに具備する請求項１９記載の送信器。
【請求項２１】
前記ダウンコンバーティングRF信号及び前記フィルターされダウンコンバートされた信号の少なくとも１つを第１のデジタル信号に変換するための手段、前記生成するための手段が前記第１のデジタル信号及びデジタル送信ベースバンド信号に基づいてデジタルコンポジット信号を生成するための手段をさらに具備する、と、
デジタルコンポジット信号をアナログコンポジット信号に変換するための手段と、
をさらに具備する請求項１９記載の送信器。
【発明の詳細な説明】
【技術分野】
【０００１】
本開示は一般的に送信することに関連し、無線周波数（RF）送信器のノイズを低減するための技巧にさらに特に関連する。
【背景技術】
【０００２】
通信システムで、送信器はアンテナを介した送信のために、モバイルステーションモデム（ＭＳＭ）からベースバンド信号を受信し、１つ以上の混合器を使用してベースバンド信号を無線周波数（RF）にアップコンバートし、例えば駆動増幅器及び電力増幅器を介して、RF信号を増幅する。
【０００３】
ノイズキャンセレーションは、高度な無線アプリケーションで重要であり、異なる部品間でそれらのお互いのより物理的な近さのためにノイズカップリングに対する可能性を増加するハンドセットの比較的小さなサイズのために特にハンドセットで重要である。１つのこのようなノイズ結合は受信器の入力と送信器の間で生じ、受信器センシティビティでの低減という結果となり、それゆえに受信器の周波数帯域で信号の受信品質を低下させる。
【０００４】
したがって、無線装置の送信器でノイズを低減させる必要性がある。
【図面の簡単な説明】
【０００５】
【図１】図１は開示の例示の実施形態が実施され得る例示の無線通信環境を例証する。
【図２】図２は、開示の例示の実施形態を例証する。
【図３Ａ】図３Ａは、開示の例示の方法を例証しているフローチャートである。
【図３Ｂ】図３Ｂは、開示の例示の方法を例証しているフローチャートである。
【図３Ｃ】図３Ｃは、開示の例示の方法を例証しているフローチャートである。
【図４Ａ】図４Ａは、開示の他の例示の実施形態を例証する。
【図４Ｂ】図４Ｂは、開示の他の例示の実施形態を例証する。
【発明を実施するための形態】
【０００６】
この中に記述された技巧は無線周波数受信が所望される任意の電気または電子環境で任意の電子セッティングに適用可能及び使用されるかもしれない。例示の目的だけのために、この中に記述された例示の実施形態は無線通信環境に限定されることを意味しないけれども、これらとの関係で提示される、しかしケーブルセットトップボックス及びそれと同類のものと同様に携帯電話、基地局のような無線周波数送信及び無線周波数受信を使用する任意の有線通信セッティングまたは無線通信セッティングに適応可能である。
【０００７】
この中に記述された技巧はCDMA、TDMA、FDMA、OFDMA、及びSC-FDMAネットワークのような無線通信ネットワークのような様々な無線通信ネットワークに関して使用されるかもしれない。用語“ネットワーク”及び“システム”は交換可能でよく使用される。CDMAネットワークはUMTS地上波無線アクセス（UTRA）、cdma2000などのような無線技術を実装するかもしれない。UTRAは広帯域CDMA（W-CDMA）、低チップレート（ＬＣＲ）、高チップレート（ＨＣＲ）などを含む。CDMA2000はIS-2000、IS-95、及びIS-856基準をカバーする。TDMAネットワークは汎ヨーロッパデジタル移動通信システム（ＧＳＭ（登録商標））のような無線技術を実装するかもしれない。ＯＦＤＭＡネットワークはエボルブドＵＴＲＡ(E-UTRA)、ウルトラ・モバイル・ブロードバンド（UMB）、IEEE 802.11（Wi-Fi）、IEEE 802. 16（WiMAX）、IEEE 802.20、Flash-OFDM（登録商標）などのような無線技術を実装するかもしれない。これらの様々な無線技術及び基準は業界で周知である。ＵＴＲＡ、Ｅ−ＵＴＲＡ及びＧＳＭ（登録商標）は“サード・ジェネレーション・パートナーシップ・プロジェクト”（３ＧＰＰ）と名付けられた組織からの記録文書内に記述される。ＣＤＭＡ２０００は“サード・ジェネレーション・パートナーシップ・プロジェクト２”（３ＧＰＰ２）と名付けられた組織からの記録文書内に記述される。３ＧＰＰ及び３ＧＰＰ２記録文書は公的に利用できる。明確にするために、技巧のある側面が３ＧＰＰネットワークに関して以下に記述される。
【０００８】
単語“例示の”は“例、実例、または例証を提供する”を意味するためにこの中で使用される。“例示の”としてこの中で記述された任意の実施形態は他の実施形態に対して好適または有利であるとは解釈される必要はない。
【０００９】
図１は複合的な無線通信システム１２０及び１２２と通信することが可能なマルチアンテナ無線装置のような無線装置１１０及び通信システム１２０及び１２２を具備している例示の無線通信環境１を例証する。無線システム１２０は、例えば（CDMAと一般的に呼ばれる。）IS-2000、（CDMA 1x EV-DOと一般的に呼ばれる。）IS−856、IS-95、W-CDMAなどのような１つ以上のCDMA基準を実施するかもしれないCDMAシステムであるかもしれない。無線システム１２０はベーストランシーバシステム（ＢＴＳ）１３０及び移動通信交換局（ＭＳＣ）１４０を含む。BTS１３０はそのサービスエリア下の無線装置に関して無線通信を提供する。MSC１４０は無線システム１２０のBTSに接続され、これらのBTSに関する調整及び制御を提供する。無線システム１２２は例えばＧＳＭ（登録商標）のような１つ以上のＴＤＭＡ基準を実施するかもしれないＴＤＭＡシステムであるかもしれない。無線システム１２２はノードＢ１３２及び無線ネットワーク制御器（ＲＮＣ）１４２を含む。ノードＢ１３２はそのサービスエリア下で無線装置に関する無線の通信を提供する。ＲＮＣ１４２は無線システム１２２のノードＢｓに接続され、これらのノードＢｓに関する調整及び制御を提供する。一般的に、ＢＴＳ１３０及びノードＢ１３２は無線装置に関する通信受信地域を提供する固定局であり、基地局またはいくつかの他の専門用語としても呼ばれるかもしれない。ＭＳＣ１４０及びＲＮＣ１４２は基地局に関する調整及び制御を提供するネットワークエンティティであり、他の専門用語によっても呼ばれるかもしれない。
【００１０】
無線装置１１０は携帯電話、個人用デジタル補助装置（ＰＤＡ）、無線機器対応のコンピュータ、またはいくつかの他の無線通信ユニットまたは装置であるかもしれない。無線装置１１０は移動局（３ＧＰＰ２用語）、ユーザ装置（ＵＥ）（３ＧＰＰ用語）、アクセスターミナル、またはいくつかの他の専門用語でも呼ばれるかもしれない。無線装置１１０には例えば１つの外部アンテナ及び１つ以上の内部アンテナのマルチアンテナが装備される。マルチアンテナはフェーディング、マルチパス、干渉などのような有害な経路効果に対するダイバーシティを提供するために使用されるかもしれない。送信エンティティでアンテナから送信されたＲＦ変調された信号が視線経路及び/または反射経路を通って無線装置１１０のマルチアンテナに到達するかもしれない。少なくとも１つの伝播経路が無線装置１１０の各々の受信アンテナ及び送信アンテナ間に典型的に存在する。もし、少なくともある程度一般的に正しい、異なる受信アンテナに関して伝播経路が独立であるならば、ダイバーシティが増加し、多重アンテナがＲＦ変調された信号を受信するために使用される時、受信された信号品質が改善する。
【００１１】
無線装置１１０は衛星１５０から信号を受信することが可能であるかもしれないし、または可能でないかもしれない。衛星１５０が周知の全地球測地システム（ＧＰＳ）、ヨーロッパのガリレオシステム、またはいくつかの他のシステムのような衛星測地システムに属するかもしれない。各々のＧＰＳ衛星はＧＰＳ信号の到着時刻（ＴＯＡ）を地球上のＧＰＳ受信器が計測可能とする情報で符号化されたＧＰＳ信号を送信する。十分多くのＧＰＳ衛星に関する計測がＧＰＳ受信器に関する正確な３次元位置推定を得るために使用されるかもしれない。一般的に無線装置１１０は任意の多くの（例えばCDMA、GSM（登録商標），GPSなど）異なる無線技術の無線システムと通信することが可能であるかもしれない。
【００１２】
図２は例示の無線装置１１０を例証している簡略化されたブロック図である。無線装置１１０は、外部のアンテナであるかもしれない、主アンテナのようなアンテナ２０２に一端が接続され、例えば経路２２６を介してモバイルステーションモデム(MSM)と他端が通信する例示の無線周波数（ＲＦ）送信機２１０を含む。ＭＳＭ２２０はメモリ２２２と通信するプロセッサ２２４を具備する。例示の実施形態で、経路２２６は同位相(I)経路及び直交位相（Ｑ）経路を具備する。説明の簡略化のために、Ｉ経路またはＱ経路の１つだけが送信器２１０に関して図に示される。
【００１３】
図２に示されるように、ＣＤＭＡ送信器のような例示の送信器２１０は加算回路または減算回路のような信号結合器２４０に出力するベースバンド（ＢＢ）フィルタ２３０を含む。局部発振器（ＬＯ）２９０から受信された送信局部発振器信号に基づいてベースバンド信号を無線周波数（ＲＦ）にアップコンバートするために、混合器または直交変調器のようなアップコンバータ２５０に、信号結合器２４０は出力する。アップコンバータ２５０は増幅されアップコンバートされた信号を送信するために外部のアンテナ２０２に出力する電力増幅器のような増幅器２６０に出力する。
【００１４】
図２にさらに示されるように、電力増幅器２６０は例えば結合器２６１を介してダウンコンバータ２７０にも出力する。混合器または直交復調器のようなダウンコンバータ２７０は局部発振器(LO)２９０から受信した送信局部発振器信号に基づいてＲＦ信号をベースバンドにダウンコンバートする。例示の実施形態で送信局部発振器信号経路２９１はダウンコンバータ２５０及びアップコンバータ２７０の両方に送信局部発振器信号を提供する。ダウンコンバータ２７０はダウンコンバートされた信号をフィルターするために、ハイパスフィルタのようなフィルタ２８０に出力する。以下で記述され、図３Ａ乃至図３Ｄとより詳細に関連して記述されるように、ベースバンド（ＢＢ）フィルタ２３０から受信された送信ベースバンド信号及びフィルターされダウンコンバートされた信号に基づいてコンポジット信号を生成する、減算回路または加算回路のような、信号結合器２４０で、フィルターされダウンコンバートされた信号が受信される。
【００１５】
図３Ａ及び図３Ｂは図２と関連し、開示の例示の方法を例示するフローチャートである。図３Ａに示されるように、ＰＡ２６０の出力信号のような送信器２１０のＲＦ信号が混合器のようなダウンコンバータ２７０によってベースバンドにダウンコンバートされるブロック３００でプロセスが開始する。例示の実施形態で、送信器２１０のＲＦ信号が送信信号及び送信ノイズを含む。ダウンコンバージョンは局部発振器（ＬＯ）２９０から受信された送信局部発振器信号に基づいて実行される。次に、ブロック３１０でダウンコンバートされた信号がフィルタ２８０によってフィルターされる。他の例示の実施形態で、フィルタ２８０は送信信号を除去するが、送信ノイズの通過を許容する等化器または最小二乗平均（ＬＭＳ）フィルタである。次にブロック３２０で、図３Ｂと関連してさらなる詳細を以下に記述されるように、ＢＢフィルタ２３０から受信された送信ベースバンド信号のような、送信ベースバンド信号及びフィルターされダウンコンバートされた信号に基づいて、コンポジット信号が生成される。
【００１６】
次に、ブロック３３０で生成されたコンポジット信号はアップコンバータ２５０を介してＲＦ信号にアップコンバートされる。例示の実施形態で、ブロック３００及びブロック３３０に記述されるダウンコンバーティング及びアップコンバーティングの各々は、送信局部発振器信号経路のような、送信局部発振器２９０によって提供されるダウンコンバータ２５０及びアップコンバータ２７０への送信局部発振器信号に基づいて実行される。局部発振器回路がダウンコンバータ２５０及びアップコンバータ２７０の各々に関する局部発振回路経路と同様に、アップコンバータ２７０に関する送信局部発振器及びダウンコンバータ２５０に関する受信器局部発振器のような追加の局部発振器の実装の必要性を、ダウンコンバーティングすること及びアップコンバーティングすることの両方に関して同じ送信局部発振器信号を使用することが減少させる。次に、ブロック３４０で、アップコンバートされた信号はアンテナ２０２によって最終的に送信するために増幅器２６０によって増幅される。次にくるブロック３４０で全体のプロセスが終了する。
【００１７】
図３Ｂは図３Ａのブロック３２０の生成プロセスをさらに例証する。図３Ｂに記されるように、フィルターされダウンコンバートされた信号が信号結合器２４０によって送信ベースバンド信号から取り除かれるブロック３６０でプロセスが開始する。例示の実施形態で信号結合器２４０が送信ベースバンド信号からフィルターされダウンコンバートされた信号を取り除く減算回路を具備する。上述したように、フィルターされダウンコンバートされた信号はフィルタ２８０によって送信信号が除去された送信ノイズを具備する。信号結合器２４０で受信した送信ベースバンド信号から送信ノイズを取り除くことは、アップコンバータ２５０及び増幅器２６０によって生成されたノイズに左右され、生成されたコンポジット信号を具備している全体の送信信号におけると同様に、信号結合器２４０から出力され生成されたコンポジット信号において送信ノイズの低減という結果になる。例示の実施形態で、送信ベースバンド信号からフィルターされダウンコンバートされた信号を取り除くことは全体の送信信号に対応した歪み及びノイズスパーズのようなスペクトラム成分を低減する。ブロック３６０の操作の次に、図３Ａのブロック３２０にプロセスが戻る。
【００１８】
例示の実施形態で、スペクトラム成分の低減はハイパスフィルタ２８０の形状のような特性に従い行われる。したがって、発明の例示の実施形態は送信された信号帯域外の送信器２１０からの出力ノイズを低減またはキャンセルする送信ＬＯ周波数で中心に合わされたバーチャルバンドバス応答を実現する。このようなノイズ低減及びキャンセレーションがなければ、送信器２１０の出力ノイズは（図示されていない）受信器入力に結合するかもしれない。バーチャルバンドパス応答を実現することは、外部のバンドバスフィルタに関する必要性を低減もする、したがって送信器２１０の全体のサイズ及びコストを低減する。
【００１９】
図４Ａ及び図４Ｂは開示の他の実施形態を例証する。図４Ａで示されるように、アナログデジタルコンバータ４４１がダウンコンバートされたＲＦ信号をデジタルダウンコンバートされた信号にデジタル化するために、ダウンコンバータ２７０の出力に配置される。デジタルダウンコンバートされた信号はデジタルフィルタ２８１でフィルターされ、デジタル加算器回路またはデジタル減算回路のようなデジタル信号結合器２４１に出力される。デジタル信号結合器２４１はデジタルベースバンドフィルタ２３１から受信したようなデジタル送信ベースバンド信号及びデジタルフィルターされダウンコンバートされた信号に基づいてデジタルコンポジット信号を生成する。例示の実施形態で、デジタルフィルターされダウンコンバートされた信号はデジタル信号結合器２４１によってデジタル送信ベースバンド信号から取り除かれる。例示の実施形態で、デジタル信号結合器２４１はデジタル送信ベースバンド信号からデジタルフィルターされダウンコンバートされた信号を取り除く減算回路を具備する。図４Ａにも示されるように、デジタルアナログコンバータ（ＤＡＣ）４４０は、生成されたデジタルコンポジット信号をアナログコンポジット信号に変換するために、デジタル信号結合器２４１の出力に配置される。変換されたアナログコンポジット信号はそれからアップコンバータ２５０に出力される。
【００２０】
図４Ｂはアナログデジタルコンバータ４４２がフィルタ２８０の出力に配置され、デジタル信号結合器２４１に出力する開示の他の例示の実施形態を例証する。デジタル信号結合器２４１はデジタルベースバンドフィルタ２３１から受信したようなデジタル送信ベースバンド信号及びデジタルフィルターされダウンコンバートされた信号に基づいてデジタルコンポジット信号を生成する。例示の実施形態で、デジタルフィルターされダウンコンバートされた信号はデジタル信号結合器２４１によってデジタル送信ベースバンド信号から取り除かれる。例示の実施形態で、デジタル信号結合器２４１はデジタル送信ベースバンド信号からデジタルフィルターされダウンコンバートされた信号を取り除く減算回路を具備する。図４Ｂにも示されるように、デジタルアナログコンバータ（ＤＡＣ）４４０はデジタルコンポジット信号をアナログコンポジット信号へ変換するためにデジタル信号結合器２４１の出力に配置される。アナログコンポジット信号はそれからアップコンバータ２５０へ出力される。
【００２１】
図３Ｃは図４Ａ及び図４Ｂに関連したフローチャートであり、開示の例示の方法を例証する。図３Ｃに示されるように、図４Ａのようなダウンコンバートされた信号または図４Ｂのようなフィルターされダウンコンバートされた信号がデジタル信号に変換されるブロック３７０でプロセスが開始する。次に、ブロック３８０で、デジタルコンポジット信号はデジタルベースバンドフィルタ２３１から受信したようなデジタル送信ベースバンド信号及びデジタル信号に基づいてデジタル信号結合器２４１によって生成される。次にブロック３９０でデジタルコンポジット信号はデジタルアナログコンバータ（ＤＡＣ）４４０によってアナログコンポジット信号に変換される。次に、上述したように結果として生じるアナログ信号はアップコンバートされ、増幅され、送信される。次のブロック３９０で、全体のプロセスが終了する。
【００２２】
当業者は、情報及び信号が様々な異なる任意の技術と技巧を使用して表されるかもしれないということを理解するだろう。例えば、上の記述を通して表されるかも知れないデータ、インストラクション、コマンド、情報、信号、ビット、シンボル、及びチップは電圧、電流、電磁波、磁場または磁性粒子、光場または光子、またはその任意の組み合わせによって表されるかもしれない。
【００２３】
当業者は、この中で開示された実施形態と関連して記述された様々な例示の論理ブロック、モジュール、回路、及びアルゴリズムステップが電子機器、コンピュータソフトウェア、または両方の組み合わせによって実施されるということをさらに理解するだろう。ハードウェア及びソフトウェアのこの相互置換性を明らかに説明するために、様々な例示の部品、ブロック、モジュール、回路、及びステップがそれらの機能性の観点から一般的に上述された。このような機能性がハードウェアかソフトウェアのどちらとして実行されるかどうかは、全体のシステムに課された設計制約及び特定のアプリケーションに基づく。当業者は各々の特定のアプリケーションのために様々の方法で記述された機能性を実現するかもしれないが、このような実施の決定は発明の例示の実施形態の範囲から逸脱を生じるとして解釈されるべきでない。
【００２４】
この中に開示された実施形態と関連して記述された様々な例示的論理ブロック、モジュール、及び回路は、この中に記述された機能を行うように設計された、汎用プロセッサ、デジタル・シグナル・プロセッサ（ＤＳＰ）、特定用途向け集積回路（ＡＳＩＣ）、フィールド・プログラマブル・ゲート・アレイ（ＦＰＧＡ）、またはたのプログラマブル論理デバイス、ディスクリートゲートまたはトランジスタロジック、ディスクリートハードウェア部品、またはその任意の組み合わせ、によって実装または実行されるかもしれない。汎用プロセッサはマイクロプロセッサであるかもしれないが、あるいは、プロセッサは任意の従来のプロセッサ、コントローラ、マイクロコントローラ、または状態マシンであるかもしれない。プロセッサは計算デバイスの組み合せ、例えばDSPとマイクロプロセッサ、複数のマイクロプロセッサ、DSPコアと関連した１つ以上のマイクロプロセッサ、またはたのこのような構成の組み合わせ、として実現もされるかもしれない。
【００２５】
この中で開示された実施形態と関連して記述されたアルゴリズムまたは方法のステップは、ハードウェアで、またはプロセッサによって実行されるソフトウェアモジュールで、またはその２つの組み合わせで直接具体化されるかもしれない。ソフトウェアモジュールは、ランダムアクセスメモリ（RAM）、フラッシュメモリ、リードオンリメモリ（ROM）、消去可能プログラマブルリードオンリメモリ（EPROM）、電気的消去可能プログラマブルリードオンリメモリ（EEPROM）、レジスタ、ハードディスク、リムーバブルディスク、ＣＤ−ROM、または業界で周知の他の任意の記録媒体の形式で存在するかもしれない。例示の記憶媒体は、プロセッサが記憶媒体から情報を読み出し、記憶媒体に情報を書き込むことができるようなプロセッサに接続される。あるいは、記憶媒体はプロセッサに集約されるかもしれない。プロセッサ及び記憶媒体はASICに存在するかも1しれない。ASICはユーザ端末に存在するかもしれない。あるいは、プロセッサ及び記憶媒体はユーザ端末のディスクリート部品として存在するかもしれない。
【００２６】
１つ以上の例示の実施形態で、記述された機能はハードウェア、ソフトウェア、ファームウェア、またはその任意の組み合わせで実現される。もしソフトウェアで実行されれば、機能はコンピュータ読取可能媒体の１つ以上のインストラクションまたはコードとして格納されるか、または送信されるかもしれない。コンピュータ読取可能媒体は次から次にコンピュータプログラムの転送を容易にする任意の媒体を含んでいる通信媒体及びコンピュータ記録媒体の両方を含むかもしれない。記録媒体はコンピュータによってアクセスされることができる任意の利用可能な媒体であるかもしれない。限定ではなく一例として、このようなコンピュータ読取可能媒体は、データ構造またはインストラクションの形式で所望のプログラムコードを搬送または格納するために使用されることができ、コンピュータによってアクセスされることができる、ＲＡＭ、ＲＯＭ、ＥＥＰＲＯＭ、ＣＤ−ＲＯＭ、または任意の他の媒体を具備することができる。さらに、任意の接続はコンピュータ読取可能媒体と適切に称される。例えば、もしソフトウェアがウェブサイト、サーバー、または同軸ケーブル、光ファイバー・ケーブル、ツイスト・ペア、デジタル・シグナル・プロセッサ（ＤＳＬ）、または赤外線、無線、及びマイクロ波のような無線技術を使用している他の遠隔ソースから送信されれば、同軸ケーブル、光ファイバー・ケーブル、ツイスト・ペア、ＤＳＬ、または赤外線、無線、及びマイクロ波のような無線技術が媒体の定義に含まれる。この中で使用されるようなディスク（disk）及びディスク（disc）は、コンパクトディスク(disc)（ＣＤ）、レーザー・ディスク（登録商標）（disc）、光ディスク（disc）、デジタル・バーサタイル・ディスク（disc）（ＤＶＤ）、フロッピー（登録商標）ディスク（disk）、及びブルーレイ・ディスク（disc）を含み、ディスク（disc）はレーザーで光学的にデータを再生するのに対して、ディスク（disk）は磁気的にデータを通常再生する。上記の組み合わせはコンピュータ読取可能な媒体の範囲内にも含まれるべきである。
【００２７】
開示された例示の実施形態の前の記述は、任意の当業者が本発明を製造または使用することができるように提供される。これらの例示の実施形態への様々な変形例もまた、当業者には明らかであるだろうし、この中で定義された本来の原理が発明の精神または範囲から逸脱することなく他の実施形態に適用されるかもしれない。したがって、本発明はこの中に示めされる実施形態に限定されることは意図されないが、この中に開示された原理及び新しい特徴と整合が取れた最も広い範囲と一致するように意図されている。
【図１】
2014078990.tif 000003
【図２】
2014078990.tif 000004
【図３Ａ】
2014078990.tif 000005
【図３Ｂ】
2014078990.tif 000006
【図３Ｃ】
2014078990.tif 000007
【図４Ａ】
2014078990.tif 000008
【図４Ｂ】
2014078990.tif 000009
【手続補正書】
【提出日】平成26年1月6日(2014.1.6)
【手続補正１】
【補正対象書類名】特許請求の範囲
【補正対象項目名】全文
【補正方法】変更
【補正の内容】
【特許請求の範囲】
【請求項１】
送信器のＲＦ信号をベースバンドへダウンコンバートすることと、
前記ダウンコンバートされた信号をフィルターすることと、
前記フィルターされダウンコンバートされた信号及び送信ベースバンド信号に基づいてコンポジット信号を生成することと、
を具備する方法。
【外国語明細書】
2014078990000001.pdf